(57)【要約】【課題】写真フィルムに記録されているコマ画像のサイズ判定精度を従来よりも向上することのできる画像サイズ判定装置。【解決手段】ＬＥＤユニット１０９から出射された光が写真フィルム２２を透過すると、検出面の長手方向が写真フィルム２２の搬送方向と直交する幅方向に沿って設けられたＰＳＤセンサ１１４Ａ〜１１４Ｂによって、写真フィルム２２の透過光が検出される。判定手段では、ＰＳＤセンサ１１４Ａ〜１１４Ｂの検出面における長手方向両端の出力に基づいて画像のサイズが判定される。ＰＳＤセンサ１１４Ａ〜１１４Ｂの検出面は、この画像の幅方向エッジを跨ぐように設置されており、画像の幅方向エッジに対応して、ＰＳＤセンサ１１４Ａ〜１１４Ｂの長手方向の一端の出力と他端の出力とが異なる。このＰＳＤセンサ１１４Ａ〜１１４Ｂの一端の出力と他端の出力との出力差の累積ヒストグラムを解析して画像の幅方向のサイズが判定される。【選択図】　　　　図８
2004118061.tif 000002
【特許請求の範囲】
【請求項１】
写真フィルムを搬送しながらアスペクト比の異なる画角で記録されている前記写真フィルム上の画像のサイズを判定する画像サイズ判定装置であって、
前記写真フィルムに対して光を出射する光源と、
前記光源から出射されて前記写真フィルムを透過した光を検出する検出面を備え、前記検出面の長手方向が前記写真フィルムの搬送方向と直交する幅方向に沿って設けられたＰＳＤセンサと、
前記ＰＳＤセンサの検出面における長手方向両端の出力に基づいて前記画像のサイズを判定する判定手段と、
を備え、
前記ＰＳＤセンサの検出面が、前記画像の前記幅方向エッジを跨ぐように設置されていることを特徴とする画像サイズ判定装置。
【請求項２】
前記判定手段は、前記ＰＳＤセンサの前記長手方向両端の出力差の累積ヒストグラムを解析して前記画像サイズを判定することを特徴とする請求項１記載の画像サイズ判定装置。
【発明の詳細な説明】
【０００１】
【発明の属する技術分野】
本発明は、写真フィルムを搬送しながらアスペクト比の異なる画角で記録されている前記写真フィルム上の画像サイズを判定する画像サイズ判定装置に関する。
【０００２】
【従来の技術】
従来より写真プリントを作成する際、フィルム搬送装置でネガフィルム等の写真フィルムを搬送し、ネガフィルムに形成されたネガ画像のコマを光学センサによって光電的に読み取り、前記読み取りによって得られた前記ネガ画像を露光装置によって印画紙に焼き付けることが行われている。
【０００３】
同一のネガフィルム上には、アスペクト比の異なる画角で記録された画像（ネガ画像）が存在する場合がある。
【０００４】
前記ネガ画像には、前記写真フィルムの幅方向に対して、予め定められた規格に基づいた所定幅寸法のコマ画像（フルサイズのコマ画像）と、前記所定幅寸法よりも狭い幅寸法のコマ画像（パノラマサイズのコマ画像）と、が存在する。
【０００５】
前記画像がフルサイズであるかパノラマサイズであるか判定するための技術として次のような先行技術が知られている。
【０００６】
写真フィルムのパノラマサイズのコマ画像の内部と前記パノラマサイズのコマ画像の外部とに対して、それぞれ所定数の濃度検出用センサが前記写真フィルムと対向するように設けられ、前者の所定数のセンサ出力から得られる平均濃度と、後者の所定数のセンサ出力を基に得られる濃度の累積ヒストグラムとを解析して、前記写真フィルムに記録されているコマ画像がフルサイズのコマ画像であるかパノラマサイズのコマ画像であるかの判定を行っているものがある（例えば、特許文献１及び特許文献２参照。）（以下、先行技術１という。）。
【０００７】
また、写真フィルムに記録されているコマ画像をＣＣＤ撮像素子（以下、単に「ＣＣＤ」という。）を用いて撮影し、前記撮影によって得られたコマ画像のデータから前記写真フィルムに記録されているコマ画像がフルサイズのコマ画像であるかパノラマサイズのコマ画像であるかの判定を行っているものもある（以下、先行技術２という。）。
【０００８】
【特許文献１】
特開平５−２３２６７２号公報（第３頁、第３図）
【特許文献２】
特許第２６２５２７９号公報（第５頁、第６図）
【０００９】
【発明が解決しようとする課題】
しかしながら、上述した先行技術１では、写真フィルムに記録されている画像の濃度が薄く、写真フィルムのベース濃度に近い場合には、パノラマ画像内に配置されたセンサとパノラマ画像外に配置されたセンサの出力差が小さくなり、画像サイズを正しく判定することができない場合があった。
【００１０】
また、先行技術２では、ＣＣＤで撮像したデータを用いてコマ画像のサイズを判定した後、再度最終的な撮像処理を行う必要があり、スキャンの高速化が難しいという問題がある。
【００１１】
本発明は、上記事実を考慮し、写真フィルムに記録されているコマ画像のサイズ判定精度を従来よりも向上することのできる画像サイズ判定装置を得ることを目的とする。
【００１２】
【課題を解決するための手段】
請求項１に記載の発明は、写真フィルムを搬送しながらアスペクト比の異なる画角で記録されている前記写真フィルム上の画像のサイズを判定する画像サイズ判定装置であって、前記写真フィルムに対して光を出射する光源と、前記光源から出射されて前記写真フィルムを透過した光を検出する検出面を備え、前記検出面の長手方向が前記写真フィルムの搬送方向と直交する幅方向に沿って設けられたＰＳＤセンサと、前記ＰＳＤセンサの検出面における長手方向両端の出力に基づいて前記画像のサイズを判定する判定手段と、を備え、前記ＰＳＤセンサの検出面が、前記画像の前記幅方向エッジを跨ぐように設置されていることを特徴としている。
【００１３】
請求項１に記載の発明によれば、光源からは、光が写真フィルムに対して出射される。この光が写真フィルムを透過すると、光を検出する検出面の長手方向が前記写真フィルムの搬送方向と直交する幅方向に沿って設けられたＰＳＤセンサによって検出される。判定手段では、このＰＳＤセンサの検出面における長手方向両端の出力に基づいて画像のサイズが判定される。ここで、ＰＳＤセンサの検出面は、この画像の幅方向エッジを跨ぐように設置されている。画像の幅方向エッジに対応して、ＰＳＤセンサの長手方向の一端の出力と他端の出力とが異なることになる。このＰＳＤセンサの長手方向の一端の出力と他端の出力との両出力に基づいて画像の幅方向のサイズが判定されるため、画像のサイズの判定の精度が従来よりも向上する。
【００１４】
請求項２に記載の発明は、請求項１に記載の発明において、前記判定手段は、前記ＰＳＤセンサの前記長手方向両端の出力差の累積ヒストグラムを解析して前記画像サイズを判定することを特徴としている。
【００１５】
請求項２に記載の発明によれば、判定手段では、画像サイズを判定する際、ＰＳＤセンサの長手方向両端の出力差の累積ヒストグラムが解析される。この累積ヒストグラムは、写真フィルムのサイズに応じて累積カーブの形状が異なる。すなわち、判定手段では、この累積ヒストグラムの累積カーブの形状によって画像のサイズが判定される。これにより、画像サイズの判定の精度がより向上する。
【００１６】
【発明の実施の形態】
図１及び図２には、本発明の実施の形態に係るディジタルラボシステム１０の概略構成が示されている。
【００１７】
図１に示すように、このディジタルラボシステム１０は、エリアＣＣＤスキャナ１４、画像処理部１６、レーザプリンタ部１８、及びプロセッサ部２０を含んで構成されており、エリアＣＣＤスキャナ１４と画像処理部１６は、図２に示す入力部２６として一体化されており、レーザプリンタ部１８及びプロセッサ部２０は、図２に示す出力部２８として一体化されている。
【００１８】
エリアＣＣＤスキャナ１４は、ネガフィルムやリバーサルフィルム等の写真フィルム２２に記録されているコマ画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのコマ画像を読取対象とすることができる。エリアＣＣＤスキャナ１４は、上記の読取対象のコマ画像をエリアＣＣＤ３０で読取り、Ａ／Ｄ変換器３２においてＡ／Ｄ変換した後、画像データを画像処理部１６へ出力する。
【００１９】
なお、本実施の形態では、１３５サイズの写真フィルム２２を適用した場合のディジタルラボシステム１０として説明する。
【００２０】
画像処理部１６は、エリアＣＣＤスキャナ１４から出力された画像データ（スキャン画像データ）が入力されると共に、デジタルカメラ３４等での撮影によって得られた画像データ、原稿（例えば反射原稿等）をスキャナ３６（フラットベット型）で読み取ることで得られた画像データ、他のコンピュータで生成され、フロッピディスクドライブ３８、ＭＯドライブ又はＣＤドライブ４０に記録された画像データ、及びモデム４２を介して受信する通信画像データ等（以下、これらをファイル画像データと総称する）を外部から入力することも可能なように構成されている。
【００２１】
画像処理部１６は、入力された画像データを画像メモリ４４に記憶し、色階調処理部４６、ハイパートーン処理部４８、ハイパーシャープネス処理部５０等で各種の補正等の画像処理を行って、記録用画像データとしてレーザプリンタ部１８へ出力する。また、画像処理部１６は、画像処理を行った画像データを画像ファイルとして外部へ出力する（例えばＦＤ、ＭＯ、ＣＤ等の記憶媒体に出力したり、通信回線を介して他の情報処理機器へ送信する等）ことも可能とされている。
【００２２】
レーザプリンタ部１８はＲ、Ｇ、Ｂのレーザ光源５２を備えており、レーザドライバ５４を制御して、画像処理部１６から入力された記録用画像データ（一旦、画像メモリ５６に記憶される）に応じて変調したレーザ光を印画紙に照射して、走査露光（本実施形態では、主としてポリゴンミラー５８、ｆθレンズ６０を用いた光学系）によって印画紙６２に画像を記録する。また、プロセッサ部２０は、レーザプリンタ部１８で走査露光によって画像が記録された印画紙６２に対し、発色現像、漂白定着、水洗、乾燥の各処理を施す。これにより、印画紙上に画像が形成される。
（エリアＣＣＤスキャナの構成）
次にエリアＣＣＤスキャナ１４の構成について図３を参照して説明する。図３にはエリアＣＣＤスキャナ１４の光学系の概略構成が示されている。後述するように、ファインスキャン用のエリアＣＣＤ３０と、プレスキャン用のラインＣＣＤ１０６に対して同一の光源（ハロゲンランプ６４）を用いるものである。
【００２３】
この光学系は、光源であるハロゲンランプ６４を備えている。ハロゲンランプ６４が焦点位置に位置するように、放物面状のリフレクタ２４が配設されており、ハロゲンランプ６４から射出されリフレクタ２４によって反射された光がフィルムキャリア７８の搬送路上の第２読取位置Ｐ２（写真フィルム２２）方向に照射されるものである。
【００２４】
ハロゲンランプ６４の光射出側には、ハロゲンランプ６４からの出射光からＩＲ（赤外光）成分を除去するＩＲカットフィルタ６６、色分解フィルタ７０Ｒ、７０Ｇ、７０Ｂ、ミラーボックス７２が光軸Ｌに沿って順に配設されている。色分解フィルタ７０Ｒ、７０Ｇ、７０Ｂは、それぞれ独立に光路に対して進退可能に構成されており、ハロゲンランプ６４から照射され、ＩＲカットフィルタ６６で赤外光成分をカットされた可視光を色分解するものである。
【００２５】
ミラーボックス７２は、ハロゲンランプ６４からの出射光を内壁で反射して拡散させながら写真フィルム２２のコマ画像に案内するものである。
【００２６】
さらに、ミラーボックス７２の上部には、ミラーボックス７２から射出される可視光の半分程度を反射させる反射ミラー９０が備えられている。この反射ミラー９０で反射された可視光が反射ミラー９２でさらに反射されて後述するフィルムキャリア７８の第１読取位置Ｐ１に案内される構成である。
【００２７】
写真フィルム２２が装填されるフィルムキャリア７８は、プレスキャンとファインスキャンを並行的に処理するために、ループ形成部１００を挟んで写真フィルム２２を連続搬送するプレスキャン部１０２と、写真フィルム２２が所定位置で停止し、コマ画像を読み取られると画像コマピッチ分搬送する間欠的搬送が行なわれるファインスキャン部１０４とを備える。プレスキャン部１０２は、第１読取位置Ｐ１で、ファインスキャン部１０４は第２読取位置Ｐ２で写真フィルム２２に可視光が照射されるように構成されている。
【００２８】
この第１読取位置Ｐ１において、写真フィルム２２を挟んで反射ミラー９２と反対側には、写真フィルム２２を透過した光を結像させるレンズユニット７４、及び結像位置に設けられたラインＣＣＤ１０６が順に配置されている。
【００２９】
ラインＣＣＤ１０６は、ＲＧＢ３色それぞれを単独で読取可能な３個のラインＣＣＤから構成されている。
【００３０】
一方、第２読取位置Ｐ２において、写真フィルム２２を挟んでハロゲンランプ６４と反対側には、写真フィルム２２を透過した光を結像させるレンズユニット７４、及び結像位置に設けられたエリアＣＣＤ３０が順に配置されている。
【００３１】
エリアＣＣＤ３０は、光を検出する複数の画素が写真フィルム２２の長手方向および幅方向に沿って平面（二次元）的に並べられており、全画素が受光した光に応じて電荷を蓄積する機能を有しており、コマ画像（二次元）を電気的に読み取ることができる。
【００３２】
なお、画像処理部１６の画像メモリ４４には、予め可視光（ＲＧＢ）に対するシェーディング補正データが記憶されている。
【００３３】
フィルムキャリア７８内には、写真フィルム２２に対して光を出射するためのＬＥＤユニット１０８、１０９が設けられている。このＬＥＤユニット１０８、１０９は、写真フィルム２２の搬送方向上流側から順に配置されている。ＬＥＤユニット１０８、１０９から出射された光の出射方向側には、ＬＥＤユニット１０８、１０９と対向するようにしてＰＳＤセンサ１１２Ａ〜１１２Ｄ、１１４Ａ〜１１４Ｂが設けられている。また、ＬＥＤユニット１０８、１０９と、ＰＳＤセンサ１１２Ａ〜１１２Ｄ、１１４Ａ〜１１４Ｂと、の間には、ＬＥＤユニット１０８、１０９から出射された光のうちＰＳＤセンサ１１２Ａ〜１１２Ｄ、１１４Ａ〜１１４Ｂによる検出に不要な光を遮るスリット板１１０が設けられている。
【００３４】
図４には、本実施の形態に係るフィルムキャリア７８の概略が示されている。ここで、前記フィルムスキャナ７８には、前記写真フィルム２２を搬送方向に案内する役割を有する搬送路ガイド７８Ａ及び７８Ｂが設けられている。
【００３５】
フィルムキャリア７８において、ＬＥＤユニット１０８、１０９は、写真フィルム２２に対して光を出射する複数のＬＥＤを備えて略直方体状の形状となっており、長手方向を写真フィルム２２の搬送方向（図４中の矢印Ａ方向）と直交するようにして配置されている。ＬＥＤはＰＳＤセンサ１１２Ａ〜Ｄ、１１４Ａ〜１１４Ｂに１対１で対応するように設けられ、ＰＳＤセンサ出力が均一になるように調整することが可能である。
【００３６】
写真フィルム２２を搬送するフィルムキャリア７８の搬送路を挟んで、前記ＬＥＤユニット１０８、１０９の設置位置と反対側には、スリット１１０Ａ〜１１０Ｄ、１１１Ａ〜１１１Ｂを有するスリット板１１０が設けられている。
【００３７】
前記スリット１１０Ａ〜１１０Ｄ、１１１Ａ〜１１１Ｂは、前記ＬＥＤユニット１０８、１０９から出射されて前記写真フィルム２２を透過した透過光を、前記搬送方向に所定幅寸法、かつ前記幅方向に所定長さ通過させる役割を有する。
【００３８】
さらに、ＰＳＤセンサ１１２Ａ〜１１２Ｄ、１１４Ａ〜１１４Ｂは、前記スリット板１１０に近接して設けられている。すなわち、このスリット板１１０は、前記写真フィルム２２と前記ＰＳＤセンサ１１２Ａ〜１１２Ｄ、１１４Ａ〜１１４Ｂとの間に配設されている。
【００３９】
前記ＰＳＤセンサ１１２Ａ〜１１２Ｄ、１１４Ａ〜１１４Ｂの各々は、長方形の受光領域（検出面）を有した１次元のＰＳＤセンサで受光領域の長手方向（長さＬ）が写真フィルム２２の搬送方向と直交するように設けられている。
【００４０】
前記ＰＳＤセンサ１１２Ａ、１１２Ｂ、１１２Ｃ、１１２Ｄ、１１４Ａ、１１４Ｂは、前記スリット１１０Ａ、１１０Ｂ、１１０Ｃ、１１０Ｄ、１１１Ａ、１１１Ｂを通過した透過光を検出する役割を有する。
【００４１】
上述したスリット１１０Ａ〜１１０Ｄ、１１１Ａ〜１１１ＢとＰＳＤセンサ１１２Ａ〜１１２Ｄ、１１４Ａ〜１１４Ｂとは、それぞれ写真フィルム２２の幅方向に亘って並んでいる。
【００４２】
図５には、写真フィルム２２に記録されたコマ画像と、スリット１１０Ａ〜１１０Ｄ、１１１Ａ〜１１１Ｂと、の位置関係を示すフィルムスキャナ７８の上面図が示されている。
【００４３】
ここでは、前記写真フィルム２２に記録されているコマ画像がパノラマサイズの画像である場合が示されている。前記コマ画像がフルサイズの画像である場合には、図５中に示される二点鎖線で囲まれた領域にコマ画像が記録される。
【００４４】
スリット１１１Ａの前記幅方向中心位置とスリット１１１Ｂの前記幅方向中心位置との間隔は、図５中に示される如く、長さＬｃとなるように予め設定されている。前記スリット１１１Ａと前記スリット１１１Ｂとの間には、前記写真フィルム２２の幅方向中心線が位置するようになっている。これにより、コマ画像がパノラマサイズの画像である場合に、前記ＰＳＤセンサ１１４Ａ及び１１４Ｂの各々が、前記コマ画像の前記幅方向のエッジと対向することになる。この場合、前記ＰＳＤセンサ１１４Ａ及び１１４Ｂは、前記コマ画像の前記エッジ及び前記エッジ近傍を透過した透過光を受光することができる。すなわち、前記ＰＳＤセンサ１１４Ａ及び１１４Ｂの受光領域がパノラマサイズのコマ画像の幅方向のエッジを跨ぐように、前記ＰＳＤセンサ１１４Ａ及び１１４Ｂが設置されている。
【００４５】
また、前記スリット１１１Ａの前記搬送路ガイド７８Ａ側のエッジと、前記スリット１１１Ｂの前記搬送路ガイド７８Ｂ側のエッジと、の間隔が、長さＬｏとして予め設定されている。さらに、前記スリット１１１Ａの前記搬送路ガイド７８Ｂ側のエッジと、前記スリット１１１Ｂの前記搬送路ガイド７８Ａ側のエッジと、の間隔が、長さＬｉとして予め設定されている。ここで、長さＬｉは、
Ｌｉ＜１２．９ｍｍ…▲１▼
である必要がある。また、長さＬｏは、
Ｌｏ≧１６ｍｍ…▲２▼
であることが望ましい。
【００４６】
図６には、写真フィルム２２に記録されている画像の前記写真フィルム２２の幅方向のエッジを判定するための機能ブロック図が示されている。
【００４７】
上述したＰＳＤセンサ１１２Ａ〜１１２Ｄには、前記幅方向のエッジを判定するための第１判定部１１６が接続されている。
【００４８】
この第１判定部１１６には、写真フィルム２２に記録されているコマ画像の搬送方向位置を検出するコマ画像位置検出センサ１１７が接続されている。コマ画像位置検出センサ１１７は、フィルムキャリア７８に搬送されてきた写真フィルム２２と対向するように取り付けられており、写真フィルム２２の搬送方向において、ＰＳＤセンサ１１２Ａ〜１１２Ｄよりも上流側に配置されている。写真フィルム２２に記録されているコマ画像がコマ画像位置検出センサ１１７の設置箇所と対向する位置に搬送されると、このコマ画像位置検出センサ１１７からはコマ画像を検出したことを示すコマ画像検出信号を出力するようになっている。第１判定部１１６は、コマ画像位置検出センサ１１７から出力されたコマ画像検出信号を入力すると、ＰＳＤセンサ１１２Ａ〜１１２Ｄから出力された信号に基づいてコマ画像のサイズの判定（第１判定）を開始する。
【００４９】
前記第１判定部１１６では、ＰＳＤセンサ１１２Ａ〜１１２Ｄから出力された信号に基づいて、写真フィルム２２に記録されている画像における濃度の累積ヒストグラムを生成し、かつ解析するようになっている。前記写真フィルム２２に記録されている画像がフルサイズの画像である場合とパノラマサイズの画像である場合とでは、前記累積ヒストグラムの累積カーブが異なる。前記第１判定部１１６では、前記累積ヒストグラムの値（度数）が設定されたしきい値Ｔｈ１を上回った場合には、前記写真フィルム２２に記録された画像のサイズがパノラマサイズであると判定するようになっている。
【００５０】
また、前記第１判定部１１６には、画像処理部１６が接続されている。前記第１判定部１１６からは、写真フィルム２２に記録された画像のサイズが判定された場合、前記写真フィルム２２に記録された画像のサイズがフルサイズ又はパノラマサイズの何れか一方であることを示すコマサイズ確定信号が、前記画像処理部１６へ出力されるようになっている。
【００５１】
一方、前記第１判定部１１６において、前記累積ヒストグラムの値が、前記しきい値Ｔｈ１と同じ値、あるいは前記しきい値Ｔｈ１の近傍の値である場合には、前記写真フィルム２２に記録されている画像のサイズの判定が困難となる。
【００５２】
ここで、前記第１判定部１１６には、上述したＰＳＤセンサ１１４Ａ及び１１４Ｂと接続された第２判定部１１８が接続されている。前記画像サイズの判定が困難である場合、第１判定部１１６は、画像処理部１６にコマサイズ確定信号を出力せずに、前記画像サイズの判定が困難であることを示すコマサイズ不定信号を前記第２判定部１１８へ出力するようになっている。
【００５３】
前記第２判定部１１８では、コマサイズ不定信号を入力すると、前記ＰＳＤセンサ１１４Ａ及び１１４Ｂからの出力に基づいて、前記画像サイズの判定（第２判定）が行われるようになっている。前記判定が行われると、前記第２判定部１１８からは、前記画像サイズを示すコマサイズ確定信号が、前記画像処理部１６へ出力されるようになっている。
【００５４】
前記画像処理部１６は、第１判定部１１６又は第２判定部１１８の何れか一方から入力したコマサイズ確定信号に基づき、写真フィルム２２に記録されているコマ画像に対して、プレスキャン及びファインスキャンを行うようにエリアＣＣＤスキャナ１４を制御するようになっている。
【００５５】
図７には、受光した光の位置に対するＰＳＤセンサ信号の出力特性が示されている。
【００５６】
本実施の形態で用いるＰＳＤセンサ１１２Ａ〜１１２Ｄ、１１４Ａ〜１１４Ｂには、２つの出力端が設けられており、前記出力端からは、受光位置と受光量とに応じて電流値が変化する光電流を出力するようになっている。以下、前記ＰＳＤセンサ１１２Ａ〜１１２Ｄ、１１４Ａ〜１１４Ｂは全て同一のＰＳＤセンサであるため、ここでは、ＰＳＤセンサ１１４Ａについて説明し、他のＰＳＤセンサ１１２Ａ〜１１２Ｄ、１１４Ｂについての説明を省略する。
【００５７】
ここで、図７には、ＰＳＤセンサ１１４Ａが受光した光の位置（受光位置）と、２つの出力端から出力される信号の出力特性と、が示されており、前記ＰＳＤセンサ１１４Ａが光（入力光）を受光すると、前記ＰＳＤセンサ１１４Ａの受光領域での受光位置から前記受光領域の両端に向けてそれぞれ電荷が移動し、前記両端の各々に移動した電荷に応じて、前記２つの出力端の各々から信号（光電流）が出力されるようになっている。
【００５８】
より詳細には、前記ＰＳＤセンサ１１４Ａでは、電荷が移動する前記受光領域の表面での距離に応じた表面抵抗の差により、上述した２つの出力端のうち一方の出力端からの信号である左出力Ｏ１（実線の矢印を参照）と、他方の出力端からの信号である右出力Ｏ２（破線の矢印を参照）と、の間に出力差が生じる。前記入力光の受光位置に応じて前記出力差が変動することから、前記出力差に基づいて前記入力光の受光位置が特定できる。
【００５９】
上述した図７には、前記ＰＳＤセンサ１１４Ａの受光領域の全てに亘って均一に光を照射した場合における、左出力Ｏ１及び右出力Ｏ２が示されている。前記左出力Ｏ１は、各受光位置での出力（実線の矢印）を積分した△ＰＱＲの面積に相当する出力となる。また、前記右出力Ｏ２は、前記各受光位置での出力（破線の矢印）を積分した△ＰＱＳの面積に相当する出力となる。
【００６０】
図８には、ＰＳＤセンサ１１４Ａでパノラマサイズの画像における濃度を検出した場合の出力特性が示されている。なお、ＰＳＤセンサ１１４Ｂでパノラマサイズの画像における濃度を検出した場合の出力特性もＰＳＤセンサ１１４Ａを用いた場合と同様であるので、説明を省略する。
【００６１】
ここでは、図７における左出力Ｏ１が図８における内側出力に対応している。また、図７における右出力Ｏ２が図８における外側出力に対応している。
【００６２】
図８に示される如く、ＰＳＤセンサ１１４Ａが、パノラマサイズのコマ画像を透過した透過光を受光すると、模様の面積に応じた信号（斜線部Ａ及び斜線部Ｂで示された内側出力）が出力される。また、ＰＳＤセンサ１１４Ａが、前記コマ画像を透過した透過光を受光すると、模様の面積に応じた信号（斜線部Ｂ及び斜線部Ｃで示された外側出力）が出力される。
【００６３】
ここで、図５に示される如く、写真フィルム２２の幅方向に対し、パノラマサイズのコマ画像の長さ（幅寸法）Ｈに関して、
Ｈ≦Ｌｃ…▲３▼
を満たすならば、
ＰＳＤセンサ１１４Ａ又は１１４Ｂの外側の出力≧ＰＳＤセンサ１１４Ａ又は１１４Ｂの内側の出力…▲４▼
という関係が成立する。
【００６４】
上述の式▲１▼及び式▲２▼を満たすようにしてスリット１１１Ａ及び１１１Ｂを配置した場合、例えば上述の式▲４▼で表される条件に当てはまらないコマ画像は、パノラマサイズのコマ画像である確率よりもフルサイズのコマ画像である確率が高いと判断する。これにより、フルサイズのコマ画像をパノラマサイズのコマ画像として誤判定してしまうことを防ぐことができる。
（累積ヒストグラムの説明）
図９には、ＰＳＤセンサ１１２Ａ及び１１２Ｄで受光した光の受光量に基づいて得られた累積ヒストグラムが示されている。上述した第１判定部１１６（図６参照）では、図９に示される累積ヒストグラムを用いてコマ画像の前記幅方向のサイズの判定が行われる。
【００６５】
図９に示される如く、パノラマサイズのコマ画像における濃度の累積カーブ（以下、「パノラマ累積カーブ」という。）と、フルサイズのコマ画像における濃度の累積カーブ（以下、「フル累積カーブ」という。）と、をプロットすると、パノラマ累積カーブの形状とフル累積カーブの形状とが異なる。
【００６６】
そこで、所定の画像出力における、パノラマ累積カーブの値とフル累積カーブの値との間に、予めしきい値Ｔｈ１を設けておき、ＰＳＤセンサ１１２Ａ及び１１２Ｄで受光した光に基づいて、前記所定の画像出力における度数（累積した画素の数）と前記しきい値Ｔｈ１との大小を求めるようにしている。
【００６７】
より具体的には、前記度数が、しきい値Ｔｈ１よりも大きい場合には、ＰＳＤセンサ１１２Ａ及び１１２Ｄがパノラマサイズのコマ画像を透過した透過光を受光したものとして扱う。また、前記度数が、しきい値Ｔｈ１よりも小さい場合には、ＰＳＤセンサ１１２Ａ及び１１２Ｄがフルサイズのコマ画像を透過した透過光を受光したものとして扱う。ただし、前記度数がしきい値Ｔｈ１近傍の値の場合には、前記度数と前記しきい値Ｔｈ１との大小関係に係わらず、ＰＳＤセンサ１１４Ａ及び１１４Ｂで受光した透過光によって、コマ画像のサイズの判定を行うようにしている。
【００６８】
図１０には、ＰＳＤセンサ１１４Ａ及び１１４Ｂで受光した透過光に基づいて得られた外側出力と内側出力との差である、内外出力差累積ヒストグラムが示されている。前記内外出力差累積ヒストグラムは、ＰＳＤセンサ１１４Ａ及び１１４Ｂの受光領域（検出面）における長手方向両端の出力差から得られる。第２判定部１１８では、上述した図１０に示される累積ヒストグラムを用いてコマ画像の前記幅方向のサイズの判定が行われる（図６参照）。
【００６９】
図１０に示される如く、ＰＳＤセンサ１１４Ａ及び１１４Ｂがパノラマサイズのコマ画像を透過した透過光を受光した場合の累積カーブ（以下、「パノラマ出力差累積カーブ」という。）の形状と、前記ＰＳＤセンサ１１４Ａ及び１１４Ｂがフルサイズのコマ画像を透過した透過光を受光した場合の累積カーブ（以下、「フル出力差累積カーブ」という。）の形状と、が異なることがわかる。より詳細には、パノラマサイズのコマ画像を透過した透過光を受光した場合、ベース濃度に近い出力の割合が多くなるため、パノラマ出力差累積カーブは、画像出力が０よりも大きい正の値を中心にして分布することになる。また、フルサイズのコマ画像を透過した透過光を受光した場合、ベース濃度に近い出力の割合がパノラマサイズのコマ画像を透過した透過光を受光した場合に比して少なくなるため、フル出力差累積カーブは、画像出力が０よりも小さい負の値を中心にして分布することになる。
【００７０】
そこで、所定の画像出力における、パノラマ出力差累積カーブの値とフル出力差累積カーブの値との間に、予めしきい値Ｔｈ２を設けておき、ＰＳＤセンサ１１４Ａ及び１１４Ｂで受光した光に基づいて、前記所定の画像出力における度数（累積した画素の数）と前記しきい値Ｔｈ２との大小を求めるようにしている。
【００７１】
より具体的には、前記度数が、しきい値Ｔｈ２よりも大きい場合には、ＰＳＤセンサ１１４Ａ及び１１４Ｂがフルサイズのコマ画像を透過した透過光を受光したものとして扱う。また、前記度数が、しきい値Ｔｈ２よりも小さい場合には、ＰＳＤセンサ１１４Ａ及び１１４Ｂがパノラマサイズのコマ画像を透過した透過光を受光したものとして扱う。
【００７２】
次に、本実施の形態の作用について説明する。
【００７３】
図１１には、写真フィルム２２に記録されているコマ画像の前記写真フィルム２２の幅方向のサイズを判定して前記コマ画像の読取りを行うフローチャートが示されている。
【００７４】
写真フィルム２２がフィルムキャリア７８に挿入されたことを検知する（ステップ２００）と、ステップ２０２へ移行し、ＬＥＤユニット１０８、１０９の各ＬＥＤが点灯される。ＬＥＤユニット１０８、１０９の各ユニットのＬＥＤが点灯されると、ステップ２０４へ移行する。
【００７５】
ステップ２０４では、写真フィルム２２の搬送が開始される。写真フィルム２２の搬送が開始されると、ステップ２０６へ移行する。
【００７６】
ステップ２０６では、フィルム搬送に伴い、ＰＳＤセンサ１１２Ａ〜１１２Ｄ、１１４Ａ〜１１４Ｂの各々が写真フィルム２２を透過した光を受光し、この光の受光に応じた信号を出力する。
【００７７】
一方、フィルムキャリア７８内では、コマ画像位置検出センサ１１７によって連続した出力の中からコマ画像の搬送方向位置が検出され、ステップ２０８へ移行する。
【００７８】
ここで、ステップ２０６からステップ２０８へ移行すると、検出された各々のコマ画像に対し、第１判定部１１６においてＰＳＤセンサ１１２Ａ〜１１２Ｄの出力に基づいて第１判定が行われる。ここで、図９に示される累積ヒストグラムを用いて、前記写真フィルム２２に記録されているコマ画像のサイズが判定され、フルサイズの画像とパノラマサイズの画像との判定が困難な場合には、ステップ２１０へ移行する。また、コマ画像のサイズがフルサイズである確率及びパノラマサイズである確率の何れか一方が非常に高いと判定された場合には、ステップ２１２に移行する。
【００７９】
ステップ２１０では、第２判定部１１８において、写真フィルム２２の搬送方向に直交する幅方向においてパノラマエッジ位置に配置されたＰＳＤセンサ１１４Ａ、１１４Ｂからの出力に基づいて、ＰＳＤセンサ１１４Ａ〜１１４Ｂの各々の内外出力差累積ヒストグラムが作成される。この内外出力差累積ヒストグラムに基づいて、写真フィルム２２に記録されているコマ画像のサイズが判定される。ステップ２１０におけるこのコマ画像のサイズの判定が終了すると、ステップ２１２に移行する。
【００８０】
ステップ２１２では、第１判定又は第２判定で判定したコマサイズ確定信号に基づいて、ラインＣＣＤ１０６及びエリアＣＣＤ３０での画像読取処理（プレスキャン及びファインスキャン）が行われる。この画像読取処理が修了するとステップ２１４へ移行する。
【００８１】
ステップ２１４では、全てのコマ画像に対して画像読取処理が完了（フィルムエンド）となったか否かが判断される。この判断が否定されるとステップ２０６に戻り、ステップ２０６乃至２１２で行われる一連の処理が写真フィルム２２の１件に記録されている各コマ画像に対して実施される。ステップ２１４での判断が肯定される（ステップ２１４でフィルムエンドと判断される）と、ステップ２１６へ進んでフィルムを排出し、写真フィルム２２に記録されたコマ画像のサイズの判定処理が終了される。
【００８２】
なお、本発明の実施の形態では、第１判定部１１６に接続されたＰＳＤセンサの個数を４個、第２判定部１１８に接続されたＰＳＤセンサの個数を２個としたが、これに限らない。第１判定部１１６に接続されたＰＳＤセンサの個数及び第２判定部１１８に接続されたＰＳＤセンサの個数は、写真フィルム２２に記録された画像のサイズの判定をするのに十分な累積ヒストグラムを生成し、かつ解析することができる個数であればよい。
【００８３】
本発明の実施の形態によれば、ＰＳＤセンサ１１２Ａ〜１１２Ｄからの出力に基づいて写真フィルム２２に記録されているコマ画像のサイズの判定が困難である場合であっても、ＰＳＤセンサ１１４Ａ及び１１４Ｂからの出力に基づいて前記画像のサイズの判定を行うことで、従来よりも前記画像のサイズを判定する精度を向上させることができる。
【００８４】
【発明の効果】
本発明によれば、写真フィルムの搬送方向と直交する画像の幅方向エッジを跨ぐようにＰＳＤセンサを配置し、このＰＳＤセンサの長手方向の一端の出力と他端の出力との両出力に基づいて画像の幅方向のサイズが判定されるため、画像のサイズ判定精度が従来よりも向上する。
【図面の簡単な説明】
【図１】本発明の実施の形態に係るディジタルラボシステムの概略構成図である。
【図２】本発明の実施の形態に係るディジタルラボシステムの外観図である。
【図３】本発明の実施の形態に係るエリアＣＣＤスキャナの光学系の概略構成を示す断面図である。
【図４】本発明の実施の形態に係るフィルムキャリアの分解斜視図である。
【図５】本発明の実施の形態に係る写真フィルムに記録されたコマ画像と、スリットと、の位置関係を示すフィルムスキャナの上面図である。
【図６】本発明の実施の形態に係る写真フィルムのコマ画像の、前記写真フィルムの幅方向のエッジを判定するための機能ブロック図である。
【図７】ＰＳＤセンサの出力特性を示す図である。
【図８】本発明の実施の形態に係る、パノラマサイズのコマ画像における濃度を検出した場合のＰＳＤセンサから出力される信号の出力特性を示す図である。
【図９】本発明の実施の形態に係る、ＰＳＤセンサで受光した光の受光量に基づいて得られた累積ヒストグラムである。
【図１０】本発明の実施の形態に係る、ＰＳＤセンサによってパノラマサイズのコマ画像の内側と外側とを透過した光を受光した場合での、前記ＰＳＤセンサから出力される２つの信号の出力差を示す累積ヒストグラムである。
【図１１】本発明の実施の形態に係る、写真フィルムに記録されているコマ画像の前記写真フィルムの幅方向のサイズを判定して前記コマ画像の読取りを行うフローチャートである。
【符号の説明】
１０　　　ディジタルラボシステム
１４　　　エリアＣＣＤスキャナ
１６　　　画像処理部
２２　　　写真フィルム
７８　　　フィルムキャリア
１０９　　ＬＥＤユニット（光源）
１１０　　スリット板
１１１Ａ　スリット
１１１Ｂ　スリット
１１４Ａ　ＰＳＤセンサ
１１４Ｂ　ＰＳＤセンサ
１１７　　コマ画像位置検出センサ
１１８　　第２判定部（判定手段）
１２２　　判定部（判定手段）
【図１】
2004118061.tif 000003
【図２】
2004118061.tif 000004
【図３】
2004118061.tif 000005
【図４】
2004118061.tif 000006
【図５】
2004118061.tif 000007
【図６】
2004118061.tif 000008
【図７】
2004118061.tif 000009
【図８】
2004118061.tif 000010
【図９】
2004118061.tif 000011
【図１０】
2004118061.tif 000012
【図１１】
2004118061.tif 000013